(57)【要約】【課題】軒樋カバーを支持するカバー支持部が吊り具本体から外れにくい樋吊り具およびカバー支持具の取付構造を提供する。【解決手段】本発明の樋吊り具３は、軒樋１が取り付けられる吊り具本体４と、軒樋カバー９を支持する支持体７とを備えている。連結部３１は、支持体７を水平方向に回転させることで、吊り具本体４と支持体７とを連結するものである。【選択図】図１
2015094153.tif 000002
【特許請求の範囲】
【請求項１】
鼻隠に固定され軒樋が取り付けられる吊り具本体と、
前記軒樋の上方に配置される軒樋カバーを支持する支持体と、
この支持体と前記吊り具本体とを連結する連結部と
を備え、
前記連結部は、前記支持体を水平方向に回転させることで、前記吊り具本体と前記支持体とを連結するものである
ことを特徴とする樋吊り具。
【請求項２】
前記連結部は、
前記支持体に設けられた固定部と、
前記吊り具本体に設けられて前記固定部を保持する保持部と
を含み、
前記固定部は、
前記支持体に設けられた上固定部と、
前記支持体に設けられ前記上固定部よりも下方に離れて設けられた下固定部と
を備え、
前記保持部は、
前記上固定部を保持する上保持部と、
前記下固定部を保持する下保持部と
を備えたものである
ことを特徴とする請求項１記載の樋吊り具。
【請求項３】
前記上固定部および下固定部は前記支持体から側方に突出しており、
前記吊り具本体には前記下固定部を上方から通すための挿通部が設けられ、
前記支持体は、前記下固定部を前記挿通部に通した状態で水平方向に回転させると、前記下固定部が前記下保持部に保持され、前記上固定部が前記上保持部に保持されるものである
ことを特徴とする請求項２記載の樋吊り具。
【請求項４】
鼻隠に固定され軒樋を支持する複数の吊り具本体と、
前記各吊り具本体に取り付けられたカバー支持具と、
この支持体同士に架け渡されて固定され前記軒樋の上方に配置された軒樋カバーと
を備えたカバー支持具の取付構造であって、
前記カバー支持具は、前記吊り具本体に対し水平方向に回転させることで、前記吊り具本体に固定されたものである
ことを特徴とするカバー支持具の取付構造。
【発明の詳細な説明】
【技術分野】
【０００１】
本発明は、軒樋が取り付けられる樋吊り具、およびカバー支持具の取付構造に関する。
【背景技術】
【０００２】
特許文献１には、従来の樋吊り具が開示されている。この特許文献１の樋吊り具は、鼻隠に取り付けられて軒樋を支持する吊具本体と、吊具本体に取り付けられた支持片とを備えている。支持片は、雪避けカバーを支持する。吊具本体は、鼻隠に固定される部分（以下、固定部という）と、固定部から前方に向かって突出する部分（以下、吊部という）とを有している。
【０００３】
吊部には、第一係止部と、第二係止部とが設けられている。支持片は、吊部の上面に載置された状態で後方側にスライド移動させ、これにより、第一係止部および第二係止部に係止されるように構成されている。
【先行技術文献】
【特許文献】
【０００４】
【特許文献１】特開２０１０−７３０３号公報
【発明の概要】
【発明が解決しようとする課題】
【０００５】
ところで、この従来の樋吊り具は、軒先に沿って所定の間隔をおいて複数箇所に取り付けられる。支持片には、複数の支持片に架け渡されるようにして雪避けカバーが取り付けられる。
【０００６】
しかしながら、この従来の樋吊り具の構造では、雪避けカバーに対し、後方から前方に向かう方向の外力が掛けられると、支持片は、第一係止部および第二係止部との係止が外れてしまうという問題がある。特に、支持片同士は雪避けカバーによって連結されているため、後方から前方に向かう方向に外力が掛けられると、一度に複数の支持片の係止が外れてしまう場合がある。
【０００７】
本発明は、上記事情に鑑みてなされたものであり、その目的とするところは、軒樋カバーを支持するカバー支持部が吊り具本体から外れにくい樋吊り具およびカバー支持具の取付構造を提供することにある。
【課題を解決するための手段】
【０００８】
本発明の樋吊り具は、鼻隠に固定され軒樋が取り付けられる吊り具本体と、前記軒樋の上方に配置される軒樋カバーを支持する支持体と、この支持体と前記吊り具本体とを連結する連結部とを備え、前記連結部は、前記支持体を水平方向に回転させることで、前記吊り具本体と前記支持体とを連結するものであることを特徴とする。
【０００９】
またこの樋吊り具において、前記連結部は、前記支持体に設けられた固定部と、前記吊り具本体に設けられて前記固定部を保持する保持部とを含み、前記固定部は、前記支持体に設けられた上固定部と、前記支持体に設けられ前記上固定部よりも下方に離れて設けられた下固定部とを備え、前記保持部は、前記上固定部を保持する上保持部と、前記下固定部を保持する下保持部とを備えたものであることが好ましい。
【００１０】
またこの樋吊り具において、前記上固定部および下固定部は前記支持体から側方に突出しており、前記吊り具本体には前記下固定部を上方から通すための挿通部が設けられ、前記支持体は、前記下固定部を前記挿通部に通した状態で水平方向に回転させると、前記下固定部が前記下保持部に保持され、前記上固定部が前記上保持部に保持されるものであることが好ましい。
【００１１】
本発明のカバー支持具の取付構造は、鼻隠に固定され軒樋を支持する複数の吊り具本体と、前記各吊り具本体に取り付けられたカバー支持具と、この支持体同士に架け渡されて固定され前記軒樋の上方に配置された軒樋カバーとを備えたカバー支持具の取付構造であって、前記カバー支持具は、前記吊り具本体に対し水平方向に回転させることで、前記吊り具本体に固定されたものであることを特徴とする。
【発明の効果】
【００１２】
本発明の樋吊り具によれば、支持体に軒樋カバーが取り付けられると、隣り合う樋吊り具の支持体同士の回転が規制されるため、吊り具本体と支持体との連結状態が保持される。この結果、設置状態においては、吊り具本体から支持体を外れにくくすることができる。
【００１３】
また、本発明のカバー支持具の取付構造によれば、カバー支持具同士が軒樋カバーによって連結され、これにより、カバー支持具の回転が規制される。このため、吊り具本体から支持体を外れにくくすることができる。
【図面の簡単な説明】
【００１４】
【図１】本実施形態のカバー支持具の取付構造の一部破断した斜視図である。
【図２】本実施形態の吊り具本体の斜視図である。
【図３】本実施形態のカバー支持具の斜視図である。
【図４】（ａ）（ｂ）（ｃ）は、本実施形態の吊り具本体にカバー支持具を取り付ける方法を説明するための斜視図である。
【発明を実施するための形態】
【００１５】
以下、本発明の実施形態について添付図面に基づいて説明する。
【００１６】
本実施形態の樋吊り具３は、図１に示すように、軒下の鼻隠２０に取り付けられて軒樋１を支持するものである。樋吊り具３は、軒樋１が取り付けられる吊り具本体４と、軒樋カバー９を支持するカバー支持具６とを備えている。
【００１７】
鼻隠２０は、屋根面２１に直交した横板である。鼻隠２０の幅方向は、下方に向かうほど建物側（屋内側）に位置するように傾斜しているが、鉛直方向と平行となっていてもよく、特に限定されない。
【００１８】
軒樋１は、軒先に取り付けられる角樋である。軒樋１は、例えば、ガルバリウム鋼板などの鋼板や、合成樹脂などにより構成される。なお、軒樋１は、鋼板や合成樹脂に限らず、合成樹脂に金属板をインサート成形したものであってもよい。また、軒樋１は断面半円状の丸樋であってもよい。
【００１９】
軒樋１は、左右方向（軒方向）に長さを有している。また、軒樋１は、後壁１１と、後壁１１の下端から前方に向かって延出した底壁１２と、底壁１２の前端から上方に向かって延出した前壁１３とを備えている。前壁１３は、上方に向かうほど前方に位置するように傾斜している。後壁１１と底壁１２と前壁１３とは、一体に成形されている。
【００２０】
後壁１１の上端には、後耳部１４が設けられている。また、前壁１３の上端には、前耳部１５が設けられている。前耳部１５および後耳部１４は、吊り具本体４に保持され、これにより、軒樋１は吊り具本体４に吊持される。
【００２１】
吊り具本体４は、軒樋１を上方から支持する。吊り具本体４は、図２に示すように、本体部４０と、耳保持部５１と、内面支持部５４とを備えている。本体部４０と耳保持部５１と内面支持部５４とは、例えば、合成樹脂により一体成形されている。なお、吊り具本体４は、例えば、金属製であってもよく、合成樹脂により形成されたものに限定されない。
【００２２】
本体部４０は、鼻隠２０の前面に固定され、これにより鼻隠２０に取り付けられる。本体部４０は、取付部４１と、吊部４３とを備えている。
【００２３】
取付部４１は、鼻隠２０の前面に固定される。取付部４１は、上下方向に幅を有し、左右方向に長さを有している。取付部４１には、固着具挿通孔４２が複数箇所に設けられている。取付部４１は、固着具挿通孔４２に固着具を通した上で、当該固着具を鼻隠２０に打ち込むことで、鼻隠２０に固定される。
【００２４】
吊部４３は、取付部４１から前方に向かって突出している。吊部４３は、前後方向に長さを有し、左右方向に幅を有している。吊部４３の長さ方向は、固定部８の後面に直交している。また、吊部４３には挿通部４４が設けられている。挿通部４４は、本体部４０（吊部４３および取付部４１）の幅方向の中央に、上下方向に貫通するようにして設けられている。挿通部４４は、吊部４３の長さ方向の中間部分から取付部４１の後面までの領域に設けられた溝部４５によって構成される。挿通部４４には、後述のカバー支持具６の下端部が上方から通されるように構成される。
【００２５】
また、吊り具本体４には、軒樋１を吊持するための耳保持部５１が設けられる。耳保持部５１は、軒樋１の前耳部１５と後耳部１４とをそれぞれ保持し、これにより軒樋１を吊持する。本実施形態の吊り具本体４は、耳保持部５１として、前保持部５２と、後保持部５３とを備えている。
【００２６】
前保持部５２は、吊部４３の長さ方向の前側の端部（すなわち、吊部４３の先端）に設けられている。前保持部５２は前耳部１５を保持する。前保持部５２は、吊部４３の先端から上方に向かって突出している。また、後保持部５３は、取付部４１に設けられている。後保持部５３は後耳部１４を保持する。後保持部５３は、取付部４１の下端からＪ字状に突出している。
【００２７】
また、吊り具本体４には、軒樋１の後壁１１内面を支持する内面支持部５４が設けられている。内面支持部５４は、吊部４３の後方側の端部から下方に向かって突出している。内面支持部５４は、前保持部５２と後保持部５３とに軒樋１が保持されると、軒樋１の後壁１１の内面に当たるように構成されている（この角樋の内面に当接する箇所を当接面とする）。内面支持部５４は、傾斜した鼻隠２０に吊り具本体４が固定され、当該吊り具本体４に軒樋１が取り付けられると、軒樋１の後壁１１の内面を支持する。
【００２８】
吊り具本体４には、図１に示すように、カバー支持具６が取り付けられる。カバー支持具６には、後述の軒樋カバー９が取り付けられる。カバー支持具６は、図３に示すように、支持体７と、固定部８とを備えている。
【００２９】
支持体７は、軒樋カバー９を支持する。支持体７は、図３に示すように、軒樋カバー９を固定する固定台７１と、固定台７１を支持する支柱部７２とを備えている。固定台７１は、前後方向に長さを有し、左右方向に幅を有している。固定台７１の長さ方向の両端には、軒樋カバー９を着脱自在に係止するための係止部７３が設けられている。
【００３０】
支柱部７２は、固定台７１から下方に向かって突出している。支柱部７２は、円柱状に形成されている。この支柱部７２には、固定部８が設けられている。支持体７は、固定部８を介して、吊り具本体４に固定される。本実施形態の固定部８は、上固定部８１と、下固定部８３とを備えている。
【００３１】
上固定部８１は、支柱部７２の長さ方向の中間部分に設けられている。上固定部８１は、支柱部７２の側方（径方向）に向かって突出した上固定用突起８２によって構成される。上固定用突起８２は，２つ設けられており、支柱部７２を中心として互いに反対側に向かって突出している。上固定用突起８２は、下方に頂点が臨んだ断面逆三角形状をしている。
【００３２】
下固定部８３は、支柱部７２の下端部に設けられている。下固定部８３は、上固定部８１よりも下方に設けられており、且つ当該上固定部８１とは離れて設けられている。下固定部８３は、支柱部７２の側方（径方向）に向かって突出した下固定用突起８４によって構成される。下固定用突起８４は，２つ設けられており、支柱部７２を中心として互いに反対側に向かって突出している。下固定用突起８４は、上方に頂点が臨んだ断面三角形状をしている。上固定用突起８２の突出方向と下固定用突起８４の突出方向とは、互いに同一方向を向き、且つ互いに平行する。
【００３３】
この固定部８は、吊り具本体４に設けられた保持部４６に着脱自在に保持される。この固定部８と保持部４６とが、本実施形態の連結部３１を構成する。言い換えると、連結部３１は、支持体７と吊り具本体４とを連結するものである。
【００３４】
保持部４６は、図２に示すように、吊り具本体４の上面に設けられた上保持部４７と、吊り具本体４の下面に設けられた下保持部４９とを備えている。上保持部４７と下保持部４９とは、吊り具本体４に一体成形されている。
【００３５】
上保持部４７は、上固定部８１を前後方向および下方向に位置規制し、これにより、上固定部８１を保持する。上保持部４７は、前後方向に対向する突起４８１の対向面によって構成された上溝４８によって構成される。上溝４８には、上固定用突起８２が嵌めこまれる。上溝４８は、上固定用突起８２が嵌めこまれると、当該上固定用突起８２の前後方向および下方への移動を規制する。
【００３６】
下保持部４９は、下固定部８３を前後方向および上方向に位置規制し、これにより、下固定部８３を保持する。下保持部４９は、前後方向に対向する突起５０１の対向面によって構成された下溝５０によって構成される。下溝５０には、下固定用突起８４が嵌めこまれる。下溝５０は、下固定用突起８４が嵌めこまれると、当該下固定用突起８４の前後方向および上方への移動を規制する。
【００３７】
図４には、カバー支持具６の吊り具本体４に対する取付方法が記載されている。カバー支持具６は、吊り具本体４に次のようにして取り付けられる。
【００３８】
施工者は、カバー支持具６の下固定部８３を吊り具本体４の挿通部４４に上方から通す。そして、施工者は、下固定部８３の上端を吊り具本体４の下面と同じ高さに位置させ、且つ上固定部８１の下端を吊り具本体４の上面と同じ高さに位置させる（図４（ｂ））。この状態で、施工者は、カバー支持具６を吊り具本体４に対して水平方向に回転させる。すると、上固定部８１が上保持部４７の突起４８１を乗り越えて当該上保持部４７に嵌めこまれ、また、下固定部８３が下保持部４９の突起５０１を乗り越えて当該下保持部４９に嵌めこまれる。これにより、図４（ｃ）に示すように、カバー支持具６と吊り具本体４とは連結される。
【００３９】
この後、施工者は、図１に示すように、樋吊り具３を、鼻隠２０に長さ方向に沿って所定の間隔を置いて複数箇所に取り付ける。次いで施工者は、樋吊り具３のカバー支持具６に架け渡すようにして、軒樋カバー９を取り付ける。
【００４０】
軒樋カバー９は、軒樋１の上方に配置される。軒樋カバー９は、軒樋１の長さ方向と平行な方向に長さを有し、前後方向に幅を有している。軒樋カバー９の長さは、軒樋１の長さと略同じ長さになるように形成されている。軒樋カバー９の幅方向の両端には、固定台７１の係止部７３に係止される被係止部９１が設けられている。
【００４１】
軒樋カバー９は、例えば、導水板や、雪避けカバーや、落ち葉避けカバーなどにより構成される。なお、本実施形態の軒樋カバー９は導水板であるが、導水板のみに限定されない。
【００４２】
この軒樋カバー９がカバー支持具６に取り付けられると、隣接するカバー支持具６同士が軒樋カバー９によって連結され、これにより、カバー支持具６の回転が規制される。この結果、カバー支持具６は、吊り具本体４に対して外れにくくなる。
【００４３】
以上、説明したように、本実施形態の樋吊り具３は、吊り具本体４と、支持体７と、支持体７と吊り具本体４とを連結する連結部３１とを備えている。吊り具本体４は、鼻隠２０に固定されるものであり、軒樋１が取り付けられる。支持体７は、軒樋１の上方に配置される軒樋カバー９を支持する。連結部３１は、支持体７を水平方向に回転させることで、吊り具本体４と支持体７とを連結する。なお、ここでいう「水平方向」とは、厳密な意味での水平方向を意味するのではなく、水平方向とみなせる範囲であれば「水平方向」に該当する。
【００４４】
このため、本実施形態の樋吊り具３によれば、鼻隠２０に固定された状態で、支持体７に軒樋カバー９が取り付けられると、支持体７は、隣り合う別の支持体７に互いに平行な状態で固定され、これにより水平方向に回転しない。このため、支持体７が吊り具本体４から外れてしまうのを防ぐことができる。
【００４５】
また、本実施形態の連結部３１は、支持体７に設けられた固定部８と、吊り具本体４に設けられて固定部８を保持する保持部４６とを含む。固定部８は、支持体７に設けられた上固定部８１と、支持体７に設けられた下固定部８３とを備えている。下固定部８３は、上固定部８１よりも下方に、且つ上固定部８１とは離れて設けられている。保持部４６は、上固定部８１を保持する上保持部４７と、下固定部８３を保持する下保持部４９とを備えている。
【００４６】
このため、本実施形態の樋吊り具３によれば、吊り具本体４に対し、支持体７を回転して取り付けると、当該支持体７は、上下方向に離れた位置で吊り具本体４に固定されるため、支持体７が倒れる方向への外力に対する強度を高めることができる。
【００４７】
また本実施形態の上固定部８１および下固定部８３は、支持体７から側方に突出している。吊り具本体４には、下固定部８３を上方から通すための挿通部４４が設けられている。支持体７は、下固定部８３を挿通部４４に通した状態で水平方向に回転させると、下固定部８３が下保持部４９に保持され、上固定部８１が上保持部４７に保持されるものである。
【００４８】
このため、本実施形態の樋吊り具３によれば、支持体７を水平方向に回転させて吊り具本体４に取り付ける構造を、単純な構成で実現することができる。
【００４９】
また本実施形態のカバー支持具６の取付構造は、鼻隠２０に固定された複数の吊り具本体４と、各吊り具本体４に取り付けられたカバー支持具６と、支持体７同士に架け渡された軒樋カバー９とを備えている。カバー支持具６は、吊り具本体４に対し水平方向に回転させることで、吊り具本体４に固定されたものである。
【００５０】
このため、本実施形態のカバー支持具６の取付構造によれば、複数のカバー支持具６は、軒樋カバー９を介して連結されているため、軒樋カバー９が取り付けられた状態では、吊り具本体４に対して水平方向に回転しにくい。この結果、本実施形態のカバー支持具６の取付構造によれば、吊り具本体４からカバー支持具６を外れにくくすることができる。
【符号の説明】
【００５１】
１      軒樋
１１    後壁
１２    底壁
１３    前壁
１４    後耳部
１５    前耳部
２０    鼻隠
２１    屋根面
３      樋吊り具
３１    連結部
４      吊り具本体
４３    吊部
４４    挿通部
４５    溝部
４６    保持部
４７    上保持部
４８    上溝
４８１  突起
４９    下保持部
５０    下溝
５０１  突起
６      カバー支持具
７      支持体
７１    固定台
７２    支柱部
７３    係止部
８      固定部
８１    上固定部
８２    上固定用突起
８３    下固定部
８４    下固定用突起
９      軒樋カバー
【図１】
2015094153.tif 000003
【図２】
2015094153.tif 000004
【図３】
2015094153.tif 000005
【図４】
2015094153.tif 000006